(57)【要約】  【課題】   既存の部材を簡単に形態変更をなして、オプション装置を容易に追加できる、温水洗浄便座装置の提供。  【解決手段】  温水洗浄機構３０を収容し、前記温水洗浄機構３０のノズル３２・３４が便器２２の内部に向けて延出するケース１２を備えた温水洗浄便座装置１０において、前記ケース１２の底部１２ａの一部６０を薄肉状に形成したこと。【選択図】  図３
2006283533.tif 000002
【特許請求の範囲】
【請求項１】
温水洗浄機構を収容し、前記温水洗浄機構のノズルが便器の内部に向けて延出するケースを備えた温水洗浄便座装置において、前記ケースの底部の一部を薄肉状に形成したことを特徴とする温水洗浄便座装置。
【請求項２】
前記薄肉状に形成された部位は、前記ノズルに近傍に設けられる、請求項１記載の温水洗浄便座装置。
【請求項３】
前記薄肉状に形成された部位を除去した後に形成される孔には、所定の装置の開口端部が嵌着される、請求項２記載の温水洗浄便座装置。
【請求項４】
前記所定の装置の開口端部は、温風乾燥装置の吐出口である、請求項３記載の温水洗浄便座装置。
【請求項５】
前記薄肉状に形成された部位は、２ケ所設けられた、請求項１記載の温水洗浄便座装置。
【請求項６】
前記薄肉状に形成された部位を除去した後に形成される２箇所の孔には、夫々、所定の装置の一方及び他方の開口端部が嵌着される、請求項５記載の温水洗浄便座装置。
【請求項７】
前記箇所の孔の一方及び他方は、夫々、前記便器内部上及び床面上に位置し、前記所定装置の一方及び他方の開口端部は、夫々、脱臭装置の吸入口及び吐出口である、には、請求項７記載の温水洗浄便座装置。
【発明の詳細な説明】
【技術分野】
【０００１】
本発明は、温水洗浄便座装置に関する。
【背景技術】
【０００２】
温水洗浄便座装置に関しては、近年、基本機能たる洗浄機能に加えて、温風乾燥機能、脱臭機能その他の機能の追加が、快適性向上の観点から要請されている。かような要請に応えるため、特許文献１は、温水洗浄機能と便座暖房機能等を有する温水洗浄装置において、外装部の内部空間に着脱可能な各種電装機器を装着せしめ、前記各種電装機器には、前記外装部の内部空間に設置した入出力端子と接続するための接続端子を設けるとともに、その形状と配置は各種電装機器で全て共通かつ同一とされている。つまり、温水洗浄装置の外装部に着脱可能な電装機器の接続端子の形態及び配線を各機能で共通化させることで、後付けで所望の機能が追加可能となっている。
【特許文献１】特開２００３−２７８２２８公報
【発明の開示】
【発明が解決しようとする課題】
【０００３】
しかして、上記した機能の追加は、ユーザー側でなされることを念頭においているが、供給者側でも、バリエーションに富んだ製品のプラットホームを共通化できる効果もあり、まことに秀でた発明である。しかしながら、特許文献１に開示の発明は、特別の機能の追加に際して、既存の部材の形態変更が要求される場合については沈黙しており、この点で実用性に欠ける憾みがある。
【０００４】
それ故に、本発明は、既存の部材を簡単に形態変更をなして、オプション装置を容易に追加できる温水洗浄便座装置を提供することを、その技術的課題とする。
【課題を解決するための手段】
【０００５】
上記の課題を解決するために講じた技術的手段は、請求項１に記載のように、
「温水洗浄機構を収容し、前記温水洗浄機構のノズルが便器の内部に向けて延出するケースを備えた温水洗浄便座装置において、前記ケースの底部の一部を薄肉状に形成したことを特徴とする温水洗浄便座装置。」
を構成したことである。
【発明の効果】
【０００６】
請求項１で定義される本発明に係る温水洗浄便座装置によれば、ケースの底部の薄肉状に形成された部位を除去すれば、容易にケースの底部に所定形状の孔を穿設できる。かような孔は、例えばオプション装置たる温風乾燥装置のダクトの先端部を受容できるので、温風乾燥装置の追加若しくは後付を可能とする。
【発明を実施するための最良の形態】
【０００７】
以下、本発明の実施形態の例について、図面に基づいて説明する。
【０００８】
図１に示されるように、温水洗浄便座装置１０は、ケース１２を備える。このケース１２には、便座１４及び便蓋１６が、図示されない枢着機構を介して、上下方向に開閉可能に取り付けられる。かように便座１４及び便蓋１６が枢着されたケース１２が、介装機構２０を介して、便器２２の後部の据付部２４に、前後方向移動可能に装着される。
【０００９】
しかして、ケース１２内には、洗浄機構３０が収容されており、この洗浄機構３０の肛門洗浄用ノズル３２及び女性局部洗浄用ノズル３４が、便器２２の内部空間内に延在している。そして、周知のように、図示されない肛門洗浄スイッチ（ビデ洗浄スイッチ）がオンされると、給水源４０から温水タンク４２に水圧が印加され、この水圧により押し出された温水が、肛門洗浄用ノズル３２（女性局部洗浄用ノズル３４）の先端部が噴射されて、便座２２に着座する使用者（図示略）の肛門（局部）を洗浄する。
【００１０】
洗浄後の部位は水滴が付着しているので、これを除去する必要があるが、トイレットペーパで払拭される。しかし、温風で乾燥させたい要望もあるので、図４に部分的に示すように、温水洗浄便座装置１０に温風乾燥装置５０が搭載されることもある。この場合、温風が供給され、水滴が付着している部位を指向するダクト５２が必要である。水滴が付着している部位に確実に温風が届くためには、ダクト５２の先端は、肛門洗浄用ノズル３２（女性局部洗浄用ノズル３４）の先端部の近傍の孔１２ｘに係止されるのが望ましい。かような観点から、ケース１２の底部１２ａの肛門洗浄用ノズル３２（女性局部洗浄用ノズル３４）の先端部の近傍６０は、薄肉状に形成されており、この部位６０を除去すれば、容易にケース１２の底部１２ａに矩形の孔１２ｘが形成でき、図５に示すように、オプション装置たる温風乾燥装置５０のダクト５２の先端部５２ａを受容させることが出来る。
【００１１】
尚、薄肉部６０の形成位置は、上記したようなケース１２の底部１２ａの肛門洗浄用ノズル３２（女性局部洗浄用ノズル３４）の先端部の近傍に限られず、オプションとして搭載される装置の性状に応じて、適宜、設定できることは言うまでもない。例えば、図６に模式的に示されるように、もう一つの薄肉部６１を、ケース１２の底部１２ａの左右方向（便器２２の幅方向）の端部であって床面に対応する位置に設けるようにすれば、薄肉部６０を除去した後に形成される孔１２ｙ及び薄肉部６１を除去した後に形成される孔１２ｚに、図７に模式的に示されるような脱臭ファン７０の吸入部７１及び吐出部７２を、夫々、嵌着することが出来る。脱臭ファン７０の吸入部７１及び吐出部７２は、夫々、便器２２の内部及び床面（図示略）を指向する。
【図面の簡単な説明】
【００１２】
【図１】本発明の一実施形態例に係る温水洗浄便座装置が便器の前方向に引き出された状態の平面図である。
【図２】本発明の一実施形態例に係る温水洗浄便座装置の斜視図である。
【図３】本発明の一実施形態例に係る温水洗浄便座装置のケースの底面側からの斜視図である。
【図４】図２〜図３の温水洗浄便座装置にオプションとして温風乾燥装置を搭載したときの斜視図である。
【図５】図２〜図３の温水洗浄便座装置にオプションとして温風乾燥装置を搭載したときの底面側からの部分斜視図である。
【図６】別の薄肉部を設けたケースの底部の模式的平面図である。
【図７】脱臭ファン７０の斜視図である。
【符号の説明】
【００１３】
１０：温水洗浄便座装置
１２：ケース
１２ａ：ケース底部
１２ｘ：孔部
１４：便座
１６：便蓋
２０：介装機構
２２：便器
３０：洗浄機構
３２：肛門洗浄用ノズル
３４：ビデ洗浄用ノズル
４０：給水源
４２：温水タンク
５０：温風乾燥装置
５２：ダクト
６０・６１：薄肉部
【図１】
2006283533.tif 000003
【図２】
2006283533.tif 000004
【図３】
2006283533.tif 000005
【図４】
2006283533.tif 000006
【図５】
2006283533.tif 000007
【図６】
2006283533.tif 000008
【図７】
2006283533.tif 000009